(57)【要約】【課題】道路付近の照明や道路利用者の視線誘導等において、光源からの光を効率よく用いて光量の不足や余分なエネルギーを要することのない遮音壁用照明装置を提供する。【解決手段】照明装置１０の光源１に相対向して設けられた反射鏡２により光源からの光が集光されることで、不要な方向への光の拡散が抑えられ、必要な方向に効率よく光Ｌ１が放射されて適切な光量でガイドライト及び道路照明を行うことができる。また反射鏡２により所望な形状に形成された投影光が道路を照明することで、道路において照明が必要な箇所及び面積のみを照明することができ、更に光の効率が高められると共に明るすぎて道路利用者が眩惑などを起こすのを防ぐことができる。【参照図】        図２【特許請求の範囲】
【請求項１】
道路に沿って設けられた遮音壁に照明装置が備えられ、前記照明装置は光源と相対向させて反射鏡が設けられて該反射鏡により光源からの光が集光されて放射され、放射部付近からの漏洩光によりガイドライトとなされると共に、前記反射鏡を用いて所望の形状に形成された投影光が道路を照明することを特徴とする遮音壁用照明装置。
【請求項２】
照明装置は、反射鏡から道路への光の通り道の途中に、散乱光を発生させる光散乱手段が設けられたことを特徴とする請求項１に記載の遮音壁用照明装置。
【請求項３】
道路付帯設備は、低層防音壁であって、該低層防音壁の笠木に照明装置が取り付けられていることを特徴とする請求項１又は２に記載の遮音壁用照明装置。
【請求項４】
照明装置は、道路周辺に設置されたセンシング手段により車両や歩行者等が検知されたことに連動して、放出される光の色調が変化することを特徴とする請求項１〜３のいずれかに記載の遮音壁用照明装置。
【請求項５】
遮音壁を構成する透明な面板の端面から光源により光が導入され、該面板が発光されて道路照明となされると共に、該面板に標識文字、図形、記号等が描画されて道路利用者に情報の提供を行うことを特徴とする遮音壁用照明装置。
【請求項６】
面板は、描画された前記標識文字、図形、記号等の背後に、前記標識文字、図形、記号等の側に光を反射する光拡散手段が設けられていることを特徴とする請求項５に記載の遮音壁用照明装置。
【請求項７】
前記光源は、主として前記前記標識文字、図形、記号等の背後に設けられた光拡散手段へ光を放射するものであることを特徴とする請求項６に記載の遮音壁用照明装置。
【発明の詳細な説明】
【技術分野】
【０００１】
本発明は、遮音壁に設けられ、道路付近の照明、道路利用者の視線誘導等を行う遮音壁用照明装置に関するものである。
【背景技術】
【０００２】
従来、道路周辺に設置された照明装置を道路付近の照明や視線誘導等の目的で道路設備に取り付ける発明は種々なされてきており、例えば特許文献１には、道路の路面よりも上方に、道路に沿って延在し、側周面から光を放射する光伝送チューブを設けると共に、該光伝送チューブ内に光を供給する光源を設けることで漏電のおそれがなく、耐水性、耐久性に優れるとした道路設備が開示されている。
【０００３】
また特許文献２には、複数枚の透明合成樹脂板の間に補強用網状部材を介在させて一体化し防音壁を構成すると共に、上記補強用網状部材の所定位置には予め蛍光塗料又は夜光塗料さらにはこれに光反射材料を配合したもので標識文字、図形、記号等を網目内が透かし模様状に抜けた形態で表示しすることで、周辺の視界を妨げず、出口への誘導表示等に利用できる複合板が開示されている。
【０００４】
【特許文献１】特開２００１−３５２０５号公報
【特許文献２】特開平７−３１７０２３号公報
【発明の開示】
【発明が解決しようとする課題】
【０００５】
しかしながら、特許文献１に記載の如き道路設備では、光がチューブ外面から拡大し過ぎて光源からの光が効率よく道路照明や視線誘導等に用いられておらず、光量が不足したり余分なエネルギーを要したりするものである。
【０００６】
また特許文献２に記載の如き複合板では、蛍光塗料又は夜光塗料さらにはこれに光反射材料を用いていることで、やはり夜間においては光量が不足して、視線誘導等が十分に行われない恐れがある。
【０００７】
本発明は上記の如き課題に鑑みてなされたものであり、道路付近の照明や道路利用者の視線誘導等において、光源からの光を効率よく用いて光量の不足や余分なエネルギーを要することのない遮音壁用照明装置を提供せんとするものである。
【課題を解決するための手段】
【０００８】
上記目的を解決するため、本発明は以下のような構成としている。すなわち、本発明に係わる遮音壁用照明装置は、道路に沿って設けられた遮音壁に照明装置が備えられ、前記照明装置は光源と相対向させて反射鏡が設けられて該反射鏡により光源からの光が集光されて放射されて放射部付近からの漏洩光によりガイドライトとなされると共に、前記反射鏡を用いて所望の形状に形成された投影光が道路を照明することを特徴とするものである。
【０００９】
また前記照明装置は、反射鏡から道路への光の通り道の途中に、散乱光を発生させる光散乱手段が設けられたことを特徴とするものである。
【００１０】
また前記道路付帯設備は、低層防音壁であって、該低層防音壁の笠木に照明装置が取り付けられていることを特徴とするものである。
【００１１】
更にまた前記照明装置は、道路周辺に設置されたセンシング手段により車両や歩行者等が検知されたことに連動して、放出される光の色調が変化することを特徴とするものである。
【００１２】
更に本発明に係わる遮音壁用照明装置は、遮音壁を構成する透明な面板の端面から光源により光が導入され、該面板が発光されて道路照明となされると共に、該面板に標識文字、図形、記号等が描画されて道路利用者に情報の提供を行うことを特徴とするものである。
【００１３】
また前記面板は、描画された前記標識文字、図形、記号等の背後に、前記標識文字、図形、記号等の側に光を反射する光拡散手段が設けられていることを特徴とするものである。
【００１４】
また前記光源は、主として前記前記標識文字、図形、記号等の背後に設けられた光拡散手段へ光を放射するものであることを特徴とするものである。
【発明の効果】
【００１５】
請求項１に記載の本発明に係わる遮音壁用照明装置によれば、反射鏡により光源からの光が集光されることで、不要な方向への光の拡散が抑えられ、必要な方向に効率よく光が放射されて適切な光量でガイドライト及び道路照明を行うことができる。また反射鏡により所望な形状に形成された投影光が道路を照明することで、道路において照明が必要な箇所及び面積のみを照明することができ、更に光の効率が高められると共に明るすぎて道路利用者が眩惑などを起こすのを防ぐことができる。
【００１６】
また請求項２に係わる本発明によれば、反射鏡から道路への光の通り道の途中に、散乱光を発生させる光散乱手段が設けられていれば、散乱光によりガイドライトとしての機能が高められ好ましい。
【００１７】
また請求項３に係わる本発明によれば、遮音壁である低層防音壁を有効活用でき、また低層防音壁の笠木は運転者の目線の位置と近似しており、ガイドライトとしての効果が高められ好ましい。
【００１８】
また請求項４に係わる本発明によれば、光の色調の変化を利用して道路利用者に車両や歩行者等の接近を予告でき、出会い頭衝突や交差点における巻き込み等を防止でき好ましい。
【００１９】
請求項５に記載の本発明に係わる遮音壁用照明装置によれば、遮音壁を構成する面板自体が導光板となって発光するので、光源から導入された光を効率よく用いて道路照明や視線誘導等を行うことができる。また面板に標識文字、図形、記号等が描画されて道路利用者に情報の提供を行うことで、遮音壁により視線誘導等に係わる情報の提供を行うことができ、遮音壁を有効活用することができる。
【００２０】
また請求項６に係わる本発明によれば、面板に描画された標識文字、図形、記号等をより明るく見せることができ、夜間における標識文字、図形、記号等の視認性を高めることができ好ましい。
【００２１】
また請求項７に係わる本発明によれば、光源からの光は主として面板に描画された標識文字、図形、記号等を発光させるのに用いられ、情報の提供を行うのに要する余分なエネルギーを少なくでき好ましい。
【発明を実施するための最良の形態】
【００２２】
本発明に係わる最良の実施の形態について、図面に基づき以下に具体的に説明する。
図１及び図２は、本発明に係わる実施の一形態を示すもので、図１は照明装置が取り付けられ、透明な面板が構成に用いられた低層防音壁を示す説明図、図２は照明装置の詳細を示す断面図、図３は透明な面板への光源からの光の導入の詳細を示す断面図である。まず図１において、道路Ｒの側縁に設置された道路付帯設備である低層防音壁１００に照明装置（本図には図示せず）が取り付けられており、照明装置から放出された光Ｌ１により、道路Ｒ上に円形の投影光Ｔ１が形成され、道路利用者の視線を誘導したり、路側を明瞭に標示する等の効果を奏している。またアクリル樹脂からなる透明な面板３０は、端部から光が導入されて面板３０自体が発光するようになされており、更にその外面には標識記号４が描画されて面板３０により視線誘導を行うことができるようになされている。また低層防音壁１００を形成する支柱５０は、笠木２０、面板３０、遮音板４０を支持すると共に、ガードパイプとしてのビームＢが金具Ｋを用いて取り付けられている。
【００２３】
図２は、図１の笠木２０周辺のＡ−Ａ断面を示す断面図である。笠木２０の内部に照明装置１０が備えられているが、照明装置１０はＬＥＤを用いた光源１Ａ、光源１Ａと相対向して設けられた反射鏡２、及び透光性の材料からなる窓３を備えるもので、光源１より放出された光Ｌ２が反射鏡２により集光されて反射され、窓３から集光された光Ｌ１が笠木２０の外部に放出されるが、光源１Ａからの光Ｌ２が反射鏡２により集光されていることで周辺にそれ程拡散されることなく光Ｌ１により道路Ｒ面に投影光Ｔ１が形成される。また面板３０の端面に光Ｌ３を入射し面板３０を発光させる光源１Ｂが設けられている。
【００２４】
光源１Ａ及び１Ｂは、光源としての寿命が長く、消費電力の小さい発光ダイオードを用いているが、特に限定されるものではなくハロゲンランプ、メタルハライドランプ、キセノンランプ、冷陰極管、蛍光管等を用いることができる。また反射鏡２は形成する投影光Ｔの形状に応じて、適宜集光が可能な形状となされた鏡面を用いてよい。
【００２５】
また、光Ｌ１は、窓３付近からの漏洩光によりガイドライトとしての機能を有するが、反射鏡２と道路Ｒとの間に設けられた窓３を光散乱手段とすることで、窓３周辺から散乱光が発生し、ガイドライトとしての機能はより高められる。窓３を光散乱手段とするには、投影光Ｔ１の形成に支障を及ぼさない程度に磨りガラス状にしたり、微細な凹凸を設ける等して散乱光を発生させてよい。
【００２６】
また透明な面板３０についてもアクリル樹脂に限定されるものではなく、耐衝撃性や耐候性等を考慮して透明な板状体、例えばガラス、強化ガラスや、ポリカーボネート、ポリエチレンテレフタレート、ポリブチレンテレフタレート、ポリアミド、ポリメタクリレート、ポリ塩化ビニル、ＡＢＳ等の透明な透光性を有する合成樹脂を用いてよく、それらを単独で用いるか、又は複数を用いて混合物、積層物を形成して適用してもよい。また外面に光触媒含有層を形成し、防汚性を具備させてもよい。
【００２７】
図３は、面板３０の標識記号４が記載された箇所の詳細を示す断面図である。面板３０には端面から光源１Ｂにより導入された光Ｌ３により面板３０自体が発光して道路照明となされるが、面板３０の一方の外面に有色透明のフィルムを貼着して標識記号４を描画し、他方の外面にカッティング加工により光拡散手段５を設けることで、標識記号４の背後から光拡散手段５により拡散された光Ｌ４が標識記号４に入射されると共に透過し、標識記号４が明るく発光することで夜間における視線誘導効果を高めることができる。尚、光拡散手段５はカッティング加工に限定されず、光拡散シート等を貼着して形成してもよい。また面板３０に描画されるのは視線誘導を目的とした標識記号４に限定されず、地点、行き先、広告等に係わる文字や、デザイン性の高い意匠等を施してもよい。
【００２８】
図４は、図１のＢ−Ｂ断面を示すもので、面板３０に描画された標識記号４に対する光源１Ｂの配置を示す説明図である。標識記号４は面板３０上に適宜間隔をおいて設けられているが、光源１Ｂを主として標識記号４が設けられている範囲内に配置し、標識記号４の背後に配置された光拡散手段５へ光を放射するようにしたものである。かかる配置をすることで、標識記号４を明瞭に光らせることができることは基より、光源１Ｂが放射する光線を道路照明や視線誘導等に効率よく活用することに繋がる。
【実施例１】
【００２９】
図５は、本発明に係わる実施例を示す説明図である。図１及び図２に示した如き遮音板４０により構成される低層防音壁１００の笠木２０に取り付けられた照明装置（本図においては図示せず）から断面長方形状の光Ｌ５を順次放出することにより、道路Ｒ上にはライン状の投影光Ｔ２が形成されている。かかるライン状の投影光Ｔ２により、道路Ｒの側縁がより強調され、夜間においても道路の側縁が明瞭且つ連続的に標示され、車両の運転者に安心感を与えることができる。また投影光Ｔ２は、道路Ｒ上に施工されたライン材と、その一部若しくは全体が重なるようにして、ライン材の存在を強調させるものとしてもよい。
【実施例２】
【００３０】
図６は、本発明に係わる更に他の実施例を示す側面図である。道路Ｒ側縁に設置された低層防音壁１００の笠木２０の内部に照明装置１０が備えられ、道路（車道）Ｒ面及び歩道Ｄ面の両方に対し照明装置１０から光Ｌ１及びＬ３が放出されることで投影光Ｔ２及びＴ３が形成されたものである。車道Ｒ及び歩道Ｄの両側に投影光Ｔ２及びＴ３を形成することで、電源装置や配線を共用して効率よくガイドライト及び道路照明を行うことができる。投影光Ｔ２及びＴ３は、本実施形態に示す如く、歩道Ｄ側はガイドライトとしての機能の必要性が小さく、また広い面積が照明されることで防犯等に繋がることから、歩道Ｄ側の投影光Ｔ３は車道Ｒ側の投影光Ｔ２より広い面積を照明するようにするのが好ましい。
【実施例３】
【００３１】
図７は、図６に示したものを更に改良した実施例を示す平面図である。道路Ｒにおける交差点Ｋ付近に照明装置（図示せず）を備えた低層防音壁１００が設置されており、照明装置から放出された光Ｌ１及びＬ６により投影光Ｔ１及びＴ３が形成されて道路照明がなされている。ここで車道Ｒ側に向けてセンシング手段６０Ａを設けて検知波Ｓ１が放射され、交差点Ｋを右折する可能性のある車両Ｃを検知した場合に、歩道Ｄ側を進む歩行者Ｈや自転車Ｂに対し、照明装置から放出される光Ｌ６の色調を変化させて巻き込まれる恐れがあることに対する注意を喚起する。色調の変化は、白や緑等の特に危険を感じさせないものから、黄色や赤の、視認したときに警戒感を感じさせることができる色調に変化させるものでよい。
【００３２】
また、更に歩道Ｄ側に向けてセンシング手段６０Ｂを設け、センシング手段６０Ｂから検知波Ｓ２を放射して歩道Ｄ上を進む歩行者Ｈや自転車Ｂを検知し、検知した場合に照明装置から車道Ｒ上に放出される光Ｌ１や面板３０の標識記号４（本図においては図示せず）が発光する光の色調を変化させて、車両Ｃが左折して歩行者Ｈや自転車Ｂを巻き込む恐れがあることを喚起するものとしてもよい。かかるセンシング手段６０Ａ及び６０Ｂによる車両Ｃや歩行者Ｈ、自転車Ｂの検知と、光Ｌ１、標識記号４及び光Ｌ６の色調の変化との連動は、見通しが悪かったり障害物のある交差点などにおいてとりわけ有効に機能するものである。
【００３３】
またセンシング手段３０Ａ及び３０Ｂによる検知結果と、光Ｌ１、標識記号４及び光Ｌ６の色調の変化の有無は、表１に示す如きものとしてもよい。
【００３４】
【表１】
2005056689.tif 000002
表１において、センシング手段６０Ａ又は６０Ｂのいずれか一方が車両や歩行者を検知した場合、他方が車両や歩行者を検知を検知していなければ光Ｌ１、標識記号４及び光Ｌ６の色調の変化により巻き込みを喚起する必要がなく、従ってこれらの光の色調の変化は行われない。またセンシング手段６０Ａ又は６０Ｂの両方が車両や歩行者を検知した場合、歩行者等が交差点に向かって進行している場合にのみ巻き込みの恐れがあることから、歩行者等が交差点と反対方向に進行しているか、または停止している場合には光の色調の変化は行われない。
【００３５】
センシング手段６０Ａ及び６０Ｂは、赤外線センサー、焦電センサー、ミリ波やマイクロ波等のレーダーなどを用いてよいが、表１の実施形態の場合においては、歩道側のセンシング手段６０Ｂについては、歩行者等の存在及び移動方向を検知できるものを用いる必要があり、例えばマイクロ波等を用いた２波ドップラーレーダーなどを好適に用いることができる。
【実施例４】
【００３６】
図８及び図９は、本発明に係わる更に他の実施例を示す説明図である。道路Ｒ側縁に低層防音壁１００は、支柱５０間に枠体Ｗにより吸音板Ｋ及び透明な面板３０Ａ及び３０Ｂが支持されて構成されたものであるが、横断歩道Ｕ付近の低層遮音壁１００を構成する面板３０Ａに透明なものを用いていることで、歩道Ｄを歩行する歩行者が視認し易くなり、横断歩道Ｕを渡ろうとする歩行者を事前に認知できることで出会い頭での衝突や巻き込みを防止できる。また面板３０Ｂは遮音壁の高さの上半分が透明となされ、更にデザイン性を主眼とした意匠４Ａが描画されている。かかる意匠４Ａに対し、図２及び図３に示した端面から光を入射する光源１Ｂや、光拡散手段５を設けておくことで、夜間において意匠４Ａをライトアップすることができる。
【００３７】
図９は、図８におけるＣ断面を示す断面図である。透明な面板３０Ａは、その両端が枠体Ｗにより支持され、更に枠体Ｗ内にＬＥＤを用いた光源１Ｃが配置されて面板３０Ａ内に光Ｌ７が導入されるようになされている。導入された光Ｌ７は、面板３０Ａ内で乱反射を起こし、道路Ｒ側及び歩道Ｄ側の両方に光が放出されて道路照明となされる。光源１Ｃは、上下いずれか一方の枠体Ｗ内に設けてもよいが、上下両方にそれぞれ設けておくことで、光量を増やし、また高さ方向の照明むらを低減でき好ましい。
【図面の簡単な説明】
【００３８】
【図１】本発明に係わる実施の一形態を示す説明図である。
【図２】照明装置の詳細を示す図１のＡ−Ａ断面図である。
【図３】図１の、標識記号付近の詳細を示す断面図である。
【図４】光源の配置の詳細を示す図１のＢ−Ｂ断面図である。
【図５】本発明に係わる実施例を示す説明図である。
【図６】本発明に係わる他の実施例を示す説明図である。
【図７】図６に示した実施例の改良例を示す側面図である。
【図８】本発明に係わる更に他の実施例を示す説明図である。
【図９】図８のＣ断面を示す断面図である。
【符号の説明】
【００３９】
１    光源
２    反射鏡
３    窓（光散乱手段）
４    標識記号
４Ａ  意匠
５    光拡散手段
１０  照明装置
２０  防音壁笠木
３０  透明な面板
４０  遮音板
５０  支柱
６０Ａ、６０Ｂ  センシング手段
１００  低層防音壁
Ｒ    道路（車道）
Ｄ    歩道
Ｃ    車両
Ｈ    歩行者
【図１】
2005056689.tif 000003
【図２】
2005056689.tif 000004
【図３】
2005056689.tif 000005
【図４】
2005056689.tif 000006
【図５】
2005056689.tif 000007
【図６】
2005056689.tif 000008
【図７】
2005056689.tif 000009
【図８】
2005056689.tif 000010
【図９】
2005056689.tif 000011